(57)【要約】【課題】データ容量を抑え狙いの露出特性を得るシャッタ秒時データを作成しこれをカメラの記憶部に記憶させるシャッタ秒時データ調整設定方法とその装置を提供する。【解決手段】撮影輝度に応じた狙いの露出特性を得るシャッタ秒時を算出するデータを記憶させた記憶部を持つカメラに当該データを記憶設定するシャッタ秒時データ調整設定方法において、設定輝度下でシャッタ動作を行わせ受光量測定を行い適正露出量との露出ズレ量を測定するステップと、露出ズレデータ入力ステップと、許容露出ズレ範囲量の規格データと露出ズレ量データとを比較し判断する判断ステップと、これに基づき狙いの露出特性を得るシャッタ制御秒時を演算するステップと、演算された当該データをカメラへ送信するステップと、これをカメラの記憶部に記憶させるステップと、当該データによりカメラのシャッタ動作指示を送信するステップとを有してなる。【選択図】図１
2005148162.tif 000002
【特許請求の範囲】
【請求項１】
撮影対象の輝度に応じた狙いの露出特性が得られるシャッター秒時を算出するためのデータが予め記憶される記憶部を有するカメラに対し、上記データを記憶設定するためのシャッター秒時データ調整設定方法において、
設定した輝度下においてカメラのシャッター動作を行わせて受光量測定を行い適正露出量からの露出ズレ量を測定する測定ステップと、
上記露出ズレ量を入力する露出ズレデータ入力ステップと、
記憶されている許容露出ズレ範囲量の規格データと入力された上記露出ズレ量のデータとを比較してその比較結果を判断する露出ズレデータ判断ステップと、
上記露出ズレ量のデータの比較判断結果に基づいて、カメラが狙いの露出特性となるべく補正されたシャッター制御秒時を演算するシャッター秒時演算ステップと、
補正演算された上記シャッター制御秒時のデータをカメラへ送信するシャッター制御秒時データ送信ステップと、
送信した上記シャッター制御秒時のデータをカメラ内の上記記憶部に記憶させる記憶ステップと、
送信した上記シャッター制御秒時のデータに基づいてカメラのシャッター動作を行う指示を通信により行うカメラ動作指示データ送信ステップと、
を有することを特徴とするカメラのシャッター秒時データ調整設定方法。
【請求項２】
上記露出ズレデータ判断ステップによる判断回数をカウントする判断回数カウントステップと、
上記判断回数カウントステップで、判断の正常が所定回数カウントされた際に、輝度変更可能な光源に対して照明輝度の変更を指示する光源輝度変更ステップと、
をさらに有することを特徴とする請求項１に記載のカメラのシャッター秒時データ調整設定方法。
【請求項３】
上記測定ステップにおける上記露出ズレ量の測定において、設定輝度は上記光源輝度変更ステップによって少なくとも３通りに変更設定して行われることを特徴とする請求項２に記載のカメラのシャッター秒時データ調整設定方法。
【請求項４】
上記シャッター制御秒時データ送信ステップにおいて送信される上記シャッター制御秒時のデータは、カメラ本体内の記憶部であるＥＥＰＲＯＭへ書き込まれることを特徴とする請求項１に記載のカメラのシャッター秒時データ調整設定方法。
【請求項５】
上記露出ズレデータ判断ステップによる複数回数の判断結果において、判断異常が所定回数カウントされた際に、調整エラーである旨の情報を出力する調整エラー情報出力ステップを、さらに有することを特徴とする請求項２又は請求項３に記載のカメラのシャッター秒時データ調整設定方法。
【請求項６】
上記記憶ステップにおいて、上記シャッター制御秒時のデータをカメラ本体内の上記記憶部へと記憶する際には、上記シャッター制御秒時のデータは圧縮された状態であることを特徴とする請求項１又は請求項４に記載のカメラのシャッター秒時データ調整設定方法。
【請求項７】
撮影対象の輝度に応じた狙いの露出特性が得られるシャッター秒時を算出するためのデータが予め記憶される記憶部を有するカメラに対し、上記データを記憶設定するためのシャッター秒時データ調整設定装置において、
設定した輝度下においてカメラのシャッター動作を行わせて受光量測定を行い適正露出量からの露出ズレ量を測定する受光部と、
上記露出ズレ量を入力する露出ズレデータ入力部と、
記憶されている許容露出ズレ範囲量の規格データと入力された上記露出ズレ量のデータとを比較してその比較結果を判断する露出ズレデータ判断部と、
上記露出ズレ量のデータの比較判断結果に基づいて、カメラが狙いの露出特性となるべく補正されたシャッター制御秒時を演算するシャッター秒時演算部と、
補正演算された上記シャッター制御秒時のデータをカメラへ送信するシャッター制御秒時データ送信部と、
送信した上記シャッター制御秒時のデータに基づいてカメラのシャッター動作を行う指示を通信により行うカメラ動作指示データ送信部と、
を有することを特徴とするカメラのシャッター秒時データ調整設定装置。
【請求項８】
上記露出ズレデータ判断部による判断回数をカウントする判断回数カウント部と、
上記判断回数カウント部で判断の正常が所定回数カウントされた際に輝度変更可能な光源に対して照明輝度の変更を指示する光源輝度変更指示部と、
をさらに有することを特徴とする請求項７に記載のカメラのシャッター秒時データ調整設定装置。
【発明の詳細な説明】
【技術分野】
【０００１】
この発明は、カメラのシャッター秒時データ調整設定方法及びシャッター秒時データ調整設定装置、詳しくはレンズシャッターを備えたカメラの露出動作時に用いるシャッター秒時データの作成を行う際のシャッター秒時データ調整設定方法及びこの方法を用いてシャッター制御秒時データの作成を行うシャッター秒時調整設定装置に関するものである。
【背景技術】
【０００２】
従来より、写真用フイルム等（以下単にフイルムという）を用いて写真撮影を行うカメラにおいては、露光用開口部の開閉制御を行うことで所望の被写体像をフイルムの乳剤面上に所定の時間だけ所定量の光束を照射して露出するためのシャッター機構とこのシャッター機構等を制御する露出制御装置を具備したものが実用化されている。
【０００３】
従来のシャッター機構としては、例えばシャッター羽根や駆動モータ等によって構成されるレンズシャッター等がある。このレンズシャッターは、漸開特性を有しており、漸開途中又は全開後の所定の時間内に閉作動が行なわれるように駆動制御されるように構成されているものである。
【０００４】
このような従来のレンズシャッターにおいては、低速秒時で動作させる場合には設定したシャッター秒時によって比較的正確に動作させることができるが、その一方で、高速秒時で動作させる場合には、製造上の機械的な偏差（バラツキ）等に起因して動作時のシャッター秒時に誤差が生じる傾向がある。
【０００５】
そこで、従来におけるレンズシャッター機構を有するカメラにおいては、その製造工程において組み立てが完了した後、シャッター秒時調整設定装置上にて当該カメラを動作させ、所定のＥｖ値における環境下で所望の露出特性（以下狙いの露出特性という）となるシャッター動作開始タイミングに関する情報（以下シャッター動作開始タイミング値という）等を求め、この情報を当該カメラの内部回路に設けたＥＥＰＲＯＭ等の記憶部に記憶させるようにしている。
【０００６】
そして、これによりカメラの側では、まず撮影対象となる被写体の輝度を測光し、その測光結果に基づいて適正な露出値を得ることのできるシャッター制御秒時をアペックスシステム等を用いて決定した後、上述のＥＥＰＲＯＭ等の記憶部に記憶させたシャッター動作開始タイミング値に基づいて、決定したシャッター秒時に応じたシャッター動作開始タイミングを決定するようにしている。つまり、動作させ得る所定のシャッター秒時の範囲内において短秒時から長秒時までの全てのシャッター秒時で、記憶部に記憶させたシャッター動作開始タイミング値を参照するようにしている。
【０００７】
このように、従来においてはレンズシャッターを備えたカメラの露出動作時に用いるシャッター秒時データの作成を行う際のシャッター秒時データ調整設定方法についての提案や、この方法を用いてシャッター制御秒時データの作成を行うシャッター秒時調整設定装置についての提案が種々なされており、また実用化されている。
【０００８】
例えば特開２０００−２４１８４９号公報によって開示されている手段では、カメラ本体の調整工程において、予め規定された輝度環境下にてシャッター動作を行い、その時の露出値と狙いの露出値（適正露出値）との露出ズレ量を算出し、この露出ズレ量についてのデータをカメラ本体内部に設けられる所定の記憶媒体に記憶させるようにしている。この場合において、露出ズレの方向がオーバー（＋）側であるか又はアンダー（−）側であるかに対応させた符号を記憶データに付すようにし、カメラ本体の内部回路にて補正演算処理を行うのが容易となるようにしている。
【０００９】
そして、カメラ本体側では露出動作を行う時点における測光結果に基づく露出値と上述の記憶媒体に記憶させた記憶データとに基づいて、露出動作時のシャッター制御秒時を決定するようにしている。
【００１０】
また、従来においてはシャッター速度測定器を使用してシャッター調整を行っていたのであるが、上記特開２０００−２４１８４９号公報等にも記載されるように、測光調整で使用する像面露出量測定器を使用して測光調整を行うのと同時にシャッター秒時の調整をも行うようにする手段についても種々提案されている。
【特許文献１】特開２０００−２４１８４９号公報
【発明の開示】
【発明が解決しようとする課題】
【００１１】
ところが、上述したようにシャッター秒時調整設定装置上にて得られた一つのシャッター動作開始タイミング値に基づいて、動作させ得るシャッター秒時の所定の範囲内において短秒時から長秒時の全てのシャッター秒時でのシャッター動作開始タイミングの制御を行なうようにしているので、調整時の環境での所定のＥｖ値とは異なる離れたＥｖ値での撮影環境の場合には露出精度が低下する傾向がある。特に長秒時の側ではレンズシャッター機構の機械的な偏差（バラツキ）等に起因して露出精度が低下する傾向が見られる。
【００１２】
また、上記特開２０００−２４１８４９号公報によって開示されている手段では、狙いの露出値との露出ズレ量についてのデータをカメラ本体内部の記憶媒体に記憶させるようにしていることから、実際のシャッター制御秒時を算出する際に補正演算処理が必要になる。このことから制御ソフトウエアが大規模なものになってしまうことにより、これを記憶させるための記憶媒体も大容量のものが必要になってしまうことになる。これにより、カメラの製造コストが増大するという問題点がある。
【００１３】
また、シャッター機構の機械的な偏差（バラツキ）に対して精密に対応させるには、露出ズレ量についてのデータをより多く用意する必要があるため、これを記憶する記憶媒体の容量も大容量のものが必要になってしまう。したがって、これによりカメラの製造コストが増大してしまうという問題点がある。
【００１４】
本発明は、上述した点に鑑みてなされたものであって、その目的とするところは、狙いの露出特性（Ｅｖ値）を得られるシャッター秒時を算出するための秒時データが予め記憶されている記憶部を有するカメラの当該記憶部に対して上記秒時データを記憶設定するためのシャッター秒時データ調整方法と、これを用いるシャッター秒時データ調整装置において、データ容量を抑えながら、レンズシャッターにおいて動作させ得る所定のシャッター秒時の範囲内において短秒時から長秒時までの全てのシャッター秒時で確実に狙いの露出特性を得ることのできるシャッター秒時データを作成し、これをカメラの記憶部に記憶させることのできるシャッター秒時データ調整設定方法及びシャッター秒時データ調整設定装置を提供することである。
【課題を解決するための手段】
【００１５】
上記目的を達成するために、本発明によるカメラのシャッター秒時データ調整設定方法は、撮影対象の輝度に応じた狙いの露出特性が得られるシャッター秒時を算出するためのデータが予め記憶される記憶部を有するカメラに対し、上記データを記憶設定するためのシャッター秒時データ調整設定方法において、設定した輝度下においてカメラのシャッター動作を行わせて受光量測定を行い適正露出量からの露出ズレ量を測定する測定ステップと、上記露出ズレ量を入力する露出ズレデータ入力ステップと、記憶されている許容露出ズレ範囲量の規格データと入力された上記露出ズレ量のデータとを比較してその比較結果を判断する露出ズレデータ判断ステップと、上記露出ズレ量のデータの比較判断結果に基づいて、カメラが狙いの露出特性となるべく補正されたシャッター制御秒時を演算するシャッター秒時演算ステップと、補正演算された上記シャッター制御秒時のデータをカメラへ送信するシャッター制御秒時データ送信ステップと、送信した上記シャッター制御秒時のデータをカメラ内の上記記憶部に記憶させる記憶ステップと、送信した上記シャッター制御秒時のデータに基づいてカメラのシャッター動作を行う指示を通信により行うカメラ動作指示データ送信ステップとを有することを特徴とする。
【００１６】
また、本発明によるカメラのシャッター秒時データ調整設定装置は、撮影対象の輝度に応じた狙いの露出特性が得られるシャッター秒時を算出するためのデータが予め記憶される記憶部を有するカメラに対し、上記データを記憶設定するためのシャッター秒時データ調整設定装置において、設定した輝度下においてカメラのシャッター動作を行わせて受光量測定を行い適正露出量からの露出ズレ量を測定する受光部と、上記露出ズレ量を入力する露出ズレデータ入力部と、記憶されている許容露出ズレ範囲量の規格データと入力された上記露出ズレ量のデータとを比較してその比較結果を判断する露出ズレデータ判断部と、上記露出ズレ量のデータの比較判断結果に基づいて、カメラが狙いの露出特性となるべく補正されたシャッター制御秒時を演算するシャッター秒時演算部と、補正演算された上記シャッター制御秒時のデータをカメラへ送信するシャッター制御秒時データ送信部と、送信した上記シャッター制御秒時のデータをカメラ内の上記記憶部に記憶させる記憶ステップと、送信した上記シャッター制御秒時のデータに基づいてカメラのシャッター動作を行う指示を通信により行うカメラ動作指示データ送信部とを有することを特徴とする。
【発明の効果】
【００１７】
本発明によれば、狙いの露出特性（Ｅｖ値）が得られるシャッター秒時を算出するための秒時データが予め記憶されている記憶部を有するカメラの当該記憶部に対して上記秒時データを記憶設定するためのシャッター秒時データ調整方法と、これを用いるシャッター秒時データ調整装置において、データ容量を抑えながら、レンズシャッターにおいて動作させ得る所定のシャッター秒時の範囲内において短秒時から長秒時までの全てのシャッター秒時で確実に狙いの露出特性を得ることのできるシャッター秒時データを作成し、これをカメラの記憶部に記憶させ得るシャッター秒時データ調整設定方法及びシャッター秒時データ調整設定装置を提供することができる。
【発明を実施するための最良の形態】
【００１８】
以下、図示の実施の形態によって本発明を説明する。  
図１は、本発明の第１の実施形態のカメラのシャッター秒時データ調整設定装置の概略構成を示すブロック構成図である。また、図２は図１のシャッター秒時データ調整設定装置を用いて調整設定を施す被調整設定装置であるカメラの電気的な内部構成の主要部を主に示すブロック構成図である。図３は、図１のシャッター秒時データ調整設定装置におけるＥＥ調整機制御部の内部構成の概略を示すブロック構成図である。図４は、図１に示すシャッター秒時データ調整設定装置におけるＥＥ調整機制御部の内部構成の詳細を示すブロック構成図である。
【００１９】
そして、図５は本実施形態のシャッター秒時データ調整設定装置によって実行されるＥＥ調整処理のシーケンスの概略を示すフローチャートである。図６は、本実施形態のシャッター秒時データ調整設定装置により調整されるカメラにおけるレンズシャッターの動作を説明する図であって、シャッター羽根の開口と時間とによって決定される露出量を示している。また、図７は図６の一部を拡大して示す図である。
【００２０】
また、図８及び図９は図５の処理シーケンスのうちの一部であるシャッター秒時データ作成処理シーケンス（図５のステップＳ３）の詳細を示すフローチャートである。図１０は図８及び図９の処理シーケンスのうちの一部であるＡＥＴＤ＿ＥＸＥ処理シーケンス（図８及び図９のステップＳ１５，Ｓ２５，Ｓ３５，Ｓ４５）の詳細を示すフローチャートである。図１１は図１０の処理シーケンスのうちの一部である露出ズレ量ΔＥｖに応じたＤ＿ＡＥＴＤの増減処理シーケンス（図１０のステップＳ６１）の詳細を示すフローチャートである。図１２は規定のＥｖ値（第２のＥｖ値）と秒時圧縮データとの関係の具体例を示す表である。
【００２１】
まず、本実施形態のシャッター秒時データ調整設定装置についての概略構成を図１によって説明する。
【００２２】
本実施形態のシャッター秒時データ調整設定装置（ＥＥ調整機ともいう）１０は、図１に示すように当該装置１０の全体の制御を司る制御回路等からなり、例えば一般的な小型コンピュータ等からなるＥＥ調整機制御部２５と、ＥＥ調整機制御部２５との間で電気的に接続され使用者が所定の操作を実行することにより当該装置１０に対して所定の指令信号（コマンド）等を出力するキーボード２７と、ＥＥ調整機制御部２５によって行なわれる制御動作の経過などが表示され、例えばＣＲＴや液晶モニター等のモニタ２６と、所望するＥｖ値の輝度環境を実現するために設けられ明るさを任意に変更自在に構成される光源２１と、被調整設定装置であるカメラのカメラ本体２２と、このカメラ本体２２の背面側の所定の位置、即ち露光用開口部に対向する位置であって、当該カメラ本体２２の有する撮影レンズ（特に図示せず）の光軸Ｏの延長線上に設けられ、当該撮影レンズによって集光される被写体からの光束像を受けて光電変換し出力する受光部２３と、ＥＥ調整機制御部２５とカメラ本体２２との間に介在し、両者の通信を実現しＥＥ調整機制御部２５によってカメラ本体２２の側の操作を制御するように構成される通信治具２４等によって構成されている。
【００２３】
この場合において、ＥＥ調整機制御部２５と通信治具２４との間は、接続ケーブル２５ａによって電気的に接続されている。また、通信治具２４とカメラ本体２２との間は、接続ケーブル２５ａａによって電気的に接続されている。これによって、ＥＥ調整機制御部２５は、カメラ本体２２に対して各種の動作制御のための指令コマンドや作成したシャッター秒時データ（秒時圧縮データ。詳細は後述する）等を送信したり、カメラ本体２２からは各種の設定情報やカメラ本体２２の状態情報等を受信することができるようになっている。
【００２４】
また、ＥＥ調整機制御部２５と受光部２３との間は、接続ケーブル２５ｂによって電気的に接続されている。これにより、ＥＥ調整機制御部２５は受光部２３からの信号を取得することができるようになっている。
【００２５】
そして、ＥＥ調整機制御部２５と光源２１との間は、接続ケーブル２５ｃによって電気的に接続されている。これにより、ＥＥ調整機制御部２５は光源２１の明るさ調節を任意に行うことができるようになっている。
【００２６】
次に、本実施形態のシャッター秒時データ調整設定装置１０を用いて調整設定を施す被設定装置であるカメラの電気的な内部構成についての概略構成を図２によって説明する。
【００２７】
本実施形態のシャッター秒時データ調整設定装置１０を用いて調整設定を施すカメラとしては、例えば長尺状のロール状フイルムを用いて写真撮影を行なうカメラであって、変倍自在に構成されるズームレンズを備え、かつレンズシャッターを有するカメラとしている。
【００２８】
このカメラのカメラ本体２２の内部電気回路は、図２に示すようにカメラ本体２２の側の統括的な制御を司るＣＰＵ等からなるカメラ制御回路３１と、このカメラ制御回路３１に電気的に接続される各種の構成部材、即ち本カメラ本体２２の各電気回路へ電力を供給する電源３２と、本カメラ本体２２における設定情報等を表示する液晶表示装置（ＬＣＤ）３３と、各種の状態表示や警告表示等を行うために設けられる告知用発光ダイオード（ＬＥＤ）３４と、被写体輝度の低輝度時等に用いられる補助光源としての閃光発光装置（ストロボ）３５と、接続ケーブル２５ａａを介して上記通信治具２４に接続されることで、この通信治具２４に接続ケーブル２５ａで接続されるＥＥ調整機制御部２５との通信を行うデータ通信部３６と、このデータ通信部３６と上記カメラ制御回路３１との間に設けられ上記ＥＥ調整機制御部２５により作成される秒時圧縮データが書き込まれるＥＥＰＲＯＭ等の記憶部３７と、被写体輝度の測光を行ってその結果を所定の形態の電気信号として出力する測光部であるＡＥセンサ３８と、所望の被写体に対して撮影レンズ（図示せず）の焦点調節動作を行うＡＦ部であるＡＦセンサ３９と、本カメラ本体２２の動作状態を検出する信号を発生させる動作状態スイッチ（ＳＷ）４０と、測光動作及びＡＦ動作とシャッターレリーズ動作の開始信号を発生させるレリーズスイッチ（ＳＷ）４１と、撮影レンズの変倍動作（ズーム動作）の開始信号を発生させるズームスイッチ（ＳＷ）４２と、本カメラ本体２２の撮影動作形態（動作モード）を切り換える信号を発生させるモードスイッチ（ＳＷ）４３と、フイルムパトローネの外周面上に設けられているＤＸコードを読み取る電気接点であるＤＸ接片４４と、撮影レンズの変倍動作に寄与する駆動源であるズーム給送モーター４５と、フイルム給送動作に寄与する駆動源であるＬＤモーター４６と、シャッター機構の駆動源となるシャッタープランジャー４７等によって構成されている。
【００２９】
次に、本実施形態のシャッター秒時データ調整設定装置１０におけるＥＥ調整機制御部２５の内部構成について図３及び図４を用いて説明する。
【００３０】
まず、本実施形態のシャッター秒時データ調整設定装置１０のＥＥ調整機制御部２５の構成は、図３及び図４に示すようにシャッター秒時データ調整設定装置１０におけるＥＥ調整機制御部２５の主要制御回路であって、当該シャッター秒時データ調整設定装置１０の統括的な制御を司るシャッター秒時データ作成制御部６と、接続ケーブル２５ｂの一端が電気的に接続されており、これを介して受光部２３から出力される情報が入力される露出ズレデータ（ΔＥｖ）入力部１と、この露出ズレデータ入力部１からの出力と後述する露出ズレデータ規格記憶部３のデータに基づいて露出ズレ量（ΔＥｖ）が所定の規格範囲内にあるか否かを判断する露出ズレデータ判断部２と、許容露出ズレ範囲量の規格データが予め記憶されている露出ズレデータ規格記憶部３と、所望する設定すべき露出ズレ量（狙いの露出ズレ量ΔＥｖ）を設定するための設定データが記憶されている露出ズレターゲット設定部１１と、この露出ズレターゲット設定部１１と上記露出ズレデータ判断部２からの出力を受けて同じＥｖ値で狙いの露出ズレ量ΔＥｖとなるようなシャッター制御秒時を算出するための演算処理を行うシャッター制御秒時演算部４と、このシャッター制御秒時演算部４による演算結果（シャッター病児情報）を受けて接続ケーブル２５ａ及び通信治具２４，接続ケーブル２５ａａ（図１参照）を介してカメラ本体２２のデータ通信部３６へと送信するシャッター制御秒時データ送信部５と、上記シャッター制御秒時演算部４による演算結果のシャッター制御秒時でシャッター機構を動作させるための指示信号を接続ケーブル２５ａ及び通信治具２４，接続ケーブル２５ａａ（図１参照）を介してカメラ本体２２へと出力するカメラ動作指示データ送信部１５と、接続ケーブル２５ｃの一端が電気的に接続されておりこれを介して光源輝度の変更を指示する指示信号を光源２１へと送り得るように構成される光源輝度変更指示部７等によって構成されている。
【００３１】
なお、図４に示すように上記露出ズレデータ判断部２による判断回数をカウントする判断回数カウント部１２と、この判断回数カウント部１２によるカウント数を判定する判断回数判定部１３と、この判断回数判定部１３によって判断回数カウント部１２のカウント数が所定の回数以上であるときに調整エラーである旨の情報を出力する調整エラー情報出力部１４とがさらに設けられている。これらの判断回数カウント部１２と判断回数判定部１３と調整エラー情報出力部１４とは、シャッター制御秒時の調整が不可能であるか否かを判定する構成部となっている。
【００３２】
また、所定のカメラにおけるレンズシャッターのシャッター秒時を調整するに際しては、例えば所定のＥｖ値の環境下において設定すべき狙いの露出量（いわゆる適正露出値と呼ばれる）に対して所定の露出量だけずらした値（ΔＥｖ）を加味して設定すべき露出量を決定することがある。この場合における露出ズレ量ΔＥｖに対しては、本実施形態において狙いの露出ズレ量ΔＥｖというものとする。そして、所定のＥｖ値に応じた狙いの露出ズレ量ΔＥｖについての各設定データ、即ち許容露出ズレ範囲量の規格データは、上述したように上記露出ズレデータ規格記憶部３に予め記憶させておき、これを参照するようにしている。
【００３３】
このように構成される本実施形態のシャッター秒時データ調整設定装置１０による全体的な作用の概略を、図５のフローチャート（ＥＥ調整処理シーケンス）に基づいて以下に説明する。
【００３４】
まず、本シャッター秒時データ調整設定装置１０の所定の電源スイッチ（図示せず）がオン状態にされて、当該装置１０に対する電力の供給が開始されると、図５に示すステップＳ１において、当該シャッター秒時データ調整設定装置１０にセットされたシャッター秒時データ調整対象となるカメラ本体２２の初期チェック処理が実行される。この初期チェック処理は、カメラ本体２２の電源や内部制御回路や操作部の動作等の動作確認を行う処理である。この初期チェック処理が終了すると、次のステップＳ２の処理に進む。
【００３５】
ステップＳ２において、カメラ本体２２の測光部（ＡＥセンサ３８等）についての調整を行う測光調整処理が実行される。この測光調整処理は、光源２１の輝度を変更し各輝度環境下にてカメラ本体２２の測光処理を実行させ、これによって得られる測光データの確認や、この測光データに基づいて測光値情報（輝度値；Ｂｖ値）を得る際の所定の係数等の確認を行う。この測光処理が終了すると、次のステップＳ３の処理に進む。
【００３６】
ステップＳ３において、所定のＥｖ値の環境下で狙いの露出特性が得られるシャッター動作秒時を確定するためのシャッター秒時データ作成処理が実行される。このシャッター秒時データ作成処理の詳細については図８及び図９によって後述する。その後、ステップＳ４の処理に進む。
【００３７】
ステップＳ４において、上述のステップＳ２の測光調整処理及び上述のステップＳ３のシャッター秒時データ作成処理の結果に基づいてＥＥチェック処理を実行する。このＥＥチェック処理は、通常撮影動作時と同様の測光動作及び露出演算動作及びシャッター駆動動作等をカメラ本体２２により実行させて、狙いの露出特性が得られているか否かを確認する処理である。その後、ステップＳ５の処理に進む。
【００３８】
ステップＳ５において、閃光発光装置（ストロボ）の発光タイミングの調整処理であるフラッシュマチック（ＦＭ）チェック処理を実行する。その後、ステップＳ６の処理に進む。
【００３９】
ステップＳ６において、上述のステップＳ２及び上述のステップＳ３において得られた調整値等の各データをカメラ本体２２の記憶部３７へと記憶させる処理やカメラ本体２２の状態を電源オフ状態（出荷準備状態）とする動作制御処理等を含む最終チェック処理を実行する。そして、この一連の処理シーケンスを終了する。
【００４０】
なお、上述のステップＳ４のＥＥチェック処理や上述のステップＳ５のＦＭチェック処理については、本実施形態とは直接的に関連する処理ではないことから、その詳細な説明は省略する。
【００４１】
次に、本実施形態のシャッター秒時データ調整設定装置１０による処理シーケンス（図５のステップＳ３参照）のうちの一部であるシャッター秒時データ作成処理の詳細について以下に説明する。
【００４２】
上述したように、このシャッター秒時データ作成処理（図８及び図９参照）は、所定のＥｖ値の環境下で狙いの露出特性が得られるシャッター動作秒時を確定するための処理である。本実施形態のシャッター秒時データ調整設定装置１０では、所定のＥｖ値の環境として４つのＥｖ値の環境におけるデータを取得するものとしている。
【００４３】
ここで、一般的なカメラのレンズシャッター機構における露出動作について、図６を用いて以下に簡単に説明する。
【００４４】
即ち、図６において時間Ｔ１の時点でシャッタープランジャーがオフ（ＯＦＦ）状態からオン（ＯＮ）状態に移行すると、若干の時間を置いた後の時間Ｔ２の時点からシャッター機構が作動を開始する。このときレンズシャッターのシャッター羽根は漸開特性を有していることから、時間Ｔ２の時点より漸次開き始める。シャッタープランジャーのオン状態が継続している場合は、図６に示す符号Ａの時点でシャッター羽根による開口は全開状態となり、この状態が継続される。そして、例えば時間Ｔ６の時点でシャッタープランジャーがオフ状態に移行すると、若干の時間を置いた後の時間Ｔ７の時点からシャッター羽根は漸次閉じ始め、時間Ｔ８の時点で全閉状態となる。この場合の露出量は、Ｔ２−Ａ−Ｔ７−Ｔ８で示される台形内の領域となる。つまり、露出量が台形で表わされる場合は、シャッター秒時が長い場合、即ち長秒時に設定される場合である。このように、レンズシャッターのシャッター羽根による開口が全開状態になる時間を含む際の領域を台形領域というものとする。
【００４５】
一方、同様に時間Ｔ１の時点でシャッタープランジャーがオフ状態からオン状態に移行して、時間Ｔ２の時点からシャッター羽根が漸次開き始め、例えば時間Ｔ３の時点でシャッタープランジャーがオフ状態に移行した場合には、時間Ｔ３の時点から若干の時間を置いた後の時間Ｔ４の時点からシャッター羽根は漸次閉じ始め、時間Ｔ５の時点で全閉状態となる。この場合の露出量は、Ｔ２−Ｔ４−Ｔ５で示される三角形内の領域となる。つまり、露出量が三角形で表わされる場合は、シャッター秒時が短い場合、即ち短秒時に設定される場合である。このように、シャッター羽根の開口が全開状態にならない場合の領域を三角領域というものとする。
【００４６】
ところで、図６に示す符号Ａの時点、即ちシャッター羽根が漸開動作している状態から全開状態となる変節点では、図７の拡大図に示すように、シャッター羽根の動作にうねり状の揺らぎが生じることがわかっている。
【００４７】
つまり、この変節点Ａでは、漸開動作しているシャッター羽根がその動作を停止し全開状態が維持されるような動作がなされる。これにより、シャッター羽根の動作にうねり状の揺らぎが生じることになると考えられる。
【００４８】
以下の説明においては、このような揺らぎの生じる領域をうねり領域というものとする。このうねり領域では露出量に揺れが生じてしまうことから、本実施形態のシャッター秒時データ調整設定装置１においては、当該うねり領域における露出分は除外して露出制御を行なうようにしている。
【００４９】
本実施形態のシャッター秒時データ調整設定装置１０におけるシャッター秒時データ作成処理は、具体的には、例えば光源２１をＥｖ値＝８に設定して台形領域のうちの低輝度側のシャッター秒時データを作成する場合（図８のステップＳ１〜Ｓ１７）と、光源２１をＥｖ値＝１２に設定して台形領域のうちの高輝度側のシャッター秒時データを作成する場合（同図８のステップＳ２１〜Ｓ２７）と、光源２１をＥｖ値＝１３に設定して三角領域のうちの低輝度側のシャッター秒時データを作成する場合（同図９のステップＳ３１〜Ｓ３７）と、光源２１をＥｖ値＝１６に設定して三角領域のうちの高輝度側のシャッター秒時データを作成する場合（同図９のステップＳ４１〜Ｓ４７）との処理を行って、４つのシャッター秒時データを作成するようにしている。
【００５０】
したがって、この場合において、うねり領域は、Ｅｖ値＝１２とＥｖ値＝１３との間の領域に相当することから、このうねり領域のデータは除外されている。
【００５１】
なお、各Ｅｖ値の環境下におけるシャッター秒時データの作成処理のそれぞれは、設定するＥｖ値が異なるのみで同様の処理が行なわれる。しがたって、以下の説明においては、図８のステップＳ１〜Ｓ１７の処理、即ち光源２１をＥｖ値＝８に設定して台形領域のうちの低輝度側のシャッター秒時データを作成する場合の処理についてのみ詳細に説明し、他の場合の詳細説明は省略する。
【００５２】
本実施形態のシャッター秒時データ調整設定装置１０におけるシャッター秒時データ作成処理は、図８及び図９に示すようになる。即ち、まずステップＳ１０において、シャッター秒時データ調整設定装置１０のシャッター秒時データ作成制御部６がカメラ本体（ボディ）２２の初期設定処理を実行する。ここで行なわれる初期設定としては、例えば内部回路のシステム全体の初期化（リセット）や撮影レンズのフォーカス位置及びズーム位置等の初期化設定である。その後、ステップＳ１１の処理に進む。
【００５３】
ステップＳ１１において、シャッター秒時データ作成制御部６は、光源輝度変更指示部７を介して光源２１による明るさがＥｖ値＝８となるように設定する。その後、ステップＳ１２の処理に進む。
【００５４】
ステップＳ１２において、シャッター秒時データ作成制御部６は、ＴＲＹ＿ＬＩＭ＿ＥＶ８の設定値を変数ＴＲＹ＿ＬＩＭに設定する。この変数ＴＲＹ＿ＬＩＭは、Ｅｖ値＝８の明るさでシャッター秒時データを作成する際の追い込み回数の設定値である。ここで、追い込み回数とは、シャッター機構の機械的誤差（特にシャッター機構が短秒時で動作する時に顕著である）を考慮して設定されるものであって、シャッター秒時データを作成するのに際して行なわれる連続データ取得回数である。この追い込み回数の設定は、設定する光源２１の明るさ（Ｅｖ値）によって適宜異なるように設定されている。その後、ステップＳ１３の処理に進む。
【００５５】
ステップＳ１３において、シャッター秒時データ作成制御部６は、ＡＥＴＤ＿ＩＮＩＴ＿ＥＶ８の設定値を変数Ｄ＿ＡＥＴＤに設定する。この変数Ｄ＿ＡＥＴＤは、調整のために最初にシャッター動作を行う際のシャッター秒時の所定の規定値（デフォルト値）である。その後、ステップＳ１４の処理に進む。
【００５６】
ステップＳ１４において、シャッター秒時データ作成制御部６は、ＥＶＴＲＧＴ＿ＲＶ８の設定値を変数Ｄ＿ＥＶＴＲＧＴに設定する。この変数Ｄ＿ＥＶＴＲＧＴは、所定のＥｖ値（＝８）のときの狙いの露出ズレ量ΔＥｖである。その後、ステップＳ１５の処理に進む。
【００５７】
ステップＳ１５において、シャッター秒時データ作成制御部６は、ＡＥＴＤ＿ＥＸＥ処理（図１０参照）を実行する。その後、ステップＳ１６の処理に進む。
【００５８】
ここで、ステップＳ１５の処理、即ちＡＥＴＤ＿ＥＸＥ処理シーケンス（図８及び図９のステップＳ２５，Ｓ３５，Ｓ４５の処理も同様）の詳細について図１０のフローチャートを用いて説明する。
【００５９】
図１０のステップＳ５１において、シャッター秒時データ作成制御部６はテーブルデータカウントＴＤ＿ＣＴ（データの取得回数のカウンタ値）を初期化する（ゼロ（０）設定）。その後、ステップＳ５２の処理に進む。
【００６０】
ステップＳ５２において、シャッター秒時データ作成制御部６はエラーカウンタＥＲＲ＿ＣＴ（エラー発生回数のカウンタ値）を初期化する（ゼロ（０）設定）。その後、ステップＳ５３の処理に進む。
【００６１】
ステップＳ５３において、シャッター秒時データ作成制御部６はテーブルカウントＴＤ＿ＣＴのカウンタ値を一つ繰り上げる（インクリメントする）。その後、ステップＳ５４の処理に進む。
【００６２】
ステップＳ５４において、シャッター秒時データ作成制御部６はエラーカウントＥＲＲ＿ＣＴのカウンタ値を一つ繰り上げる（インクリメントする）。その後、ステップＳ５５の処理に進む。
【００６３】
ステップＳ５５において、シャッター秒時データ作成制御部６は秒時圧縮データＤ＿ＡＥＴＤ（図８のステップＳ１３参照）の伸長処理を実行する。その後、ステップＳ５６の処理に進む。
【００６４】
ステップＳ５６において、シャッター秒時データ作成制御部６は上述のステップＳ５５で得られる伸長データ（シャッター秒時データ）を、カメラ本体２２の側のカメラ制御回路３１が内部に具備するタイマーカウンタに設定する。その後、ステップＳ５７の処理に進む。これにより、カメラ本体２２の側では、シャッター動作をなし得る準備が整う。
【００６５】
そこで、ステップＳ５７において、シャッター秒時データ作成制御部６はカメラ動作指示データ送信部１５及び通信治具２４を介してカメラ本体２２の側にシャッター動作処理を実行させる指示信号を送信する。これを受けてカメラ制御回路３１は所定のシャッター動作処理を実行する。このときのシャッター動作は、上述のステップＳ５６の処理で設定されたシャッター秒時データにより行なわれる。これに伴ってシャッター秒時データ調整設定装置１０の側では、受光部２３がシャッター動作時の間だけ受光する。その出力信号は接続ケーブル２５ｂを介してＥＥ調整機制御部２５の露出ズレデータ入力部１へと伝送される。そして、この露出ズレデータ入力部１において露出ズレ量ΔＥｖを算出する。その後、ステップＳ５８の処理に進む。
【００６６】
ステップＳ５８において、シャッター秒時データ作成制御部６は、上述のステップＳ５７の処理で受光部２３の出力信号に基づいて算出された露出ズレ量ΔＥｖを変数ＥＥＤＡＴに設定する。その後、ステップＳ５９の処理に進む。
【００６７】
ステップＳ５９において、シャッター秒時データ作成制御部６は、露出ズレデータ判断部２を制御して、露出ズレデータ入力部１の出力（ΔＥｖ）と露出ズレデータ規格記憶部３のデータに基づいて露出ズレ量（ΔＥｖ＝ＥＥＤＡＴ）が所定の規格範囲内（ＥＥＴＤ＿Ｌ〜ＥＥＴＤ＿Ｈ）にあるか否かを判断する。
【００６８】
ＥＥＴＤ＿Ｌ≦ＥＥＤＡＴ≦ＥＥＴＤ＿Ｈ
この場合において、露出ズレ量（ΔＥｖ＝ＥＥＤＡＴ）が所定の規格範囲内にあることが確認されたときにはステップＳ６３の処理に進む。また、規格範囲外であることが確認されたときにはステップＳ６０の処理に進む。
【００６９】
上述のステップＳ５９の処理において露出ズレ量（ΔＥｖ＝ＥＥＤＡＴ）が所定の規格範囲外であることが確認されてステップＳ６０の処理に進むと、このステップＳ６０において、シャッター秒時データ作成制御部６はエラーカウント値が２５以上であるか否か（ＥＥＲ＿ＣＴ≧２５）、つまりＥＲＲ＿ＣＴの値が２５以上で、２５回以上調整を繰り返したか否かの確認を行う。ここで、ＥＥＲ＿ＣＴ≧２５であることが確認された場合には、ＡＥテーブルデータ作成エラーであると判断し当該調整処理を中断する。
【００７０】
また、ＥＥＲ＿ＣＴ≧２５ではない、つまりエラーカウントは２５回未満であることが確認されるとステップＳ６１の処理に進む。
【００７１】
ステップＳ６１において、シャッター秒時データ作成制御部６は上述のステップＳ５７の処理で算出された露出ズレ量ΔＥｖに応じた秒時圧縮データＤ＿ＡＥＴＤの増減処理（図１１参照。詳細は後述する）を行う。その後、ステップＳ６２の処理に進む。
【００７２】
ステップＳ６２において、シャッター秒時データ作成制御部６はテーブルデータカウントＴＤ＿ＣＴをリセットし初期化する（ゼロ（０）設定）。その後、ステップＳ６３の処理に進む。
【００７３】
一方、上述のステップＳ５９の処理において露出ズレ量（ΔＥｖ＝ＥＥＤＡＴ）が所定の規格範囲内にあることが確認されてステップＳ６３の処理に進むと、このステップＳ６３において、シャッター秒時データ作成制御部６はテーブルカウントの変数ＴＤ＿ＣＴと追い込み回数の変数ＴＲＹ＿ＬＩＭとの比較を行い、変数ＴＲＹ＿ＬＩＭが変数ＴＤ＿ＣＴに到達したか否かの確認を行う（ＴＤ＿ＣＴ＜ＴＲＹ＿ＬＩＭ）。
【００７４】
この場合において、ＴＤ＿ＣＴ＜ＴＲＹ＿ＬＩＭが成立しない場合には上述のステップＳ５３の処理に戻り、以降の処理を繰り返す。
【００７５】
つまり、追い込み回数の変数ＴＲＹ＿ＬＩＭで設定した回数だけのシャッター動作を行ない、その都度得られる露出ズレ量ΔＥｖについて、規格範囲内にあるかどうかの確認を繰り返す。
【００７６】
また、上述のステップＳ６３において、ＴＤ＿ＣＴ＜ＴＲＹ＿ＬＩＭが成り立つ場合にはステップＳ６４の処理に進む。
【００７７】
ステップＳ６４において、シャッター秒時データ作成制御部６は、秒時圧縮データＤ＿ＡＥＴＤを変数ＴＤＤＡＴに設定する。その後、一連の処理を終了し、図８の所定ステップに復帰する（リターン）。
【００７８】
つまり、所定の追い込み回数分のシャッター動作により、その都度得られる露出ずれ量ΔＥｖが、全て規格範囲内にある場合には、その秒時圧縮データＤ＿ＡＥＴＤが採用されて、これが変数ＴＤＤＡＴとして設定されることになる。
【００７９】
続いて、図１０のステップＳ６１の処理、即ち露出ズレ量ΔＥｖに応じたＤ＿ＡＥＴＤ（秒時圧縮データ）の増減処理シーケンスの詳細を図１１のフローチャートによって説明する。
【００８０】
まず、ステップＳ７１において、シャッター秒時データ作成制御部６は、現時点での実際の露出ズレ量（ΔＥｖ；図１０のステップＳ５８）を表わす変数ＥＥＤＡＴと狙いの露出ズレ量（ΔＥｖ）を表わす変数Ｄ＿ＥＶＴＲＧＴとの差分演算処理を行って変数ＤＥＦ＿ＤＡＴＡに設定する。その後、ステップＳ７２の処理に進む。
【００８１】
ＤＥＦ＿ＤＡＴＡ＝ＥＥＤＡＴ−Ｄ＿ＥＶＴＲＧＴ
ステップＳ７２において、シャッター秒時データ作成制御部６は、現時点での秒時圧縮データＤ＿ＡＥＴＤに基づいてアペックスシステムによるＴｖ値の換算処理を行って変数ＮＯＷ＿ＡＥＴＤ＿ＥＶを設定する。その後、ステップＳ７３の処理に進む。
【００８２】
ＮＯＷ＿ＡＥＴＤ＿ＥＶ＝（Ｄ＿ＡＥＴＤ−４８）／８
ステップＳ７３において、シャッター秒時データ作成制御部６は、上述のステップＳ７２の処理で得たＮＯＷ＿ＡＥＴＤ＿ＥＶと上述のステップＳ７１の処理で得たＤＥＦ＿ＤＡＴＡとに基づいて、次の動作時に用いるＥｖ値の設定値ＮＥＸＴ＿ＡＥＴＤ＿ＥＶを算出する。その後、ステップＳ７４の処理に進む。
【００８３】
ＮＥＸＴ＿ＡＥＴＤ＿ＥＶ＝ＮＯＷ＿ＡＥＴＤ＿ＥＶ＋ＤＥＦ＿ＤＡＴＡ
ステップＳ７４において、シャッター秒時データ作成制御部６は、上述のステップ７３において算出した変数ＮＥＸＴ＿ＡＥＴＤ＿ＥＶについての換算処理を行って、変数Ｄ＿ＡＥＴＤを設定する。
【００８４】
Ｄ＿ＡＥＴＤ＝ＮＥＸＴ＿ＡＥＴＤ＿ＥＶ×８＋４８
その後、一連の処理を終了し、図１０の所定ステップに復帰する（リターン）。
【００８５】
図８に戻って、ステップＳ１６において、シャッター秒時データ作成制御部６は、上述の図１０（ステップＳ６４参照）ＡＥＴＤ＿ＥＸＥ処理にて取得された秒時圧縮データの変数ＴＤＤＡＴを変数ＥＣ＿ＡＥＴＤＤＡＩ２に設定する。この変数ＥＣ＿ＡＥＴＤＤＡＩ２に設定された値が、光源２１をＥｖ値＝８に設定して台形領域のうちの低輝度側のシャッター秒時データの圧縮データとなる（図１２の表を参照）。その後、ステップＳ１７の処理に進む。
【００８６】
なお、図１２においては、光源２１の明るさによって設定されるＥｖ値を第２のＥｖ値として示している。
【００８７】
ステップＳ１７において、シャッター秒時データ作成制御部６は、台形領域のうちの低輝度側のＥｖ値＝８の変数ＥＣ＿ＥＶＤＡＩ２に対応する値である＃４８Ｈを設定する（図１２の表を参照）。その後、ステップＳ１８の処理に進む。
【００８８】
ステップＳ１８において、シャッター秒時データ作成制御部６は、上述のステップＳ１７において設定された変数ＥＣ＿ＡＥＴＤＤＡＩ２（ＴＤＤＡＴ）が所定の規格範囲にあるか否かを判断する。
【００８９】
ＡＥＴＤＤＡＩ２＿Ｌ≦ＴＤＤＡＴ≦ＡＥＴＤＤＡＩ２＿Ｈ
ここで、変数ＥＣ＿ＡＥＴＤＤＡＩ２（ＴＤＤＡＴ）が所定の規格範囲から外れていることが確認された場合には、ステップＳ１９の処理に進む。
【００９０】
ステップＳ１９において、シャッター秒時データ作成制御部６は、テーブルデータ作成エラーであると判断し、所定のＥＶ８テーブルデータ下限エラー又は上限エラー処理を実行した後、当該調整処理を中断する。
【００９１】
一方、変数ＥＣ＿ＡＥＴＤＤＡＩ２（ＴＤＤＡＴ）が所定の規格範囲にあることが確認された場合には、次のステップＳ２１の処理に進む。
【００９２】
ステップＳ２１において、シャッター秒時データ作成制御部６は、光源輝度変更指示部７を介して光源２１による明るさがＥｖ値＝１２となるように設定する。その後、ステップＳ２２の処理に進む。以降、ステップＳ２２〜Ｓ２９の処理は、上述のステップＳ１２〜Ｓ１９の処理と同様の処理が実行される。その後、ステップＳ３１の処理に進む。
【００９３】
続いて、ステップＳ３１において、シャッター秒時データ作成制御部６は、光源輝度変更指示部７を介して光源２１による明るさがＥｖ値＝１３となるように設定する。その後、ステップＳ３２の処理に進む。以降、ステップＳ３２〜Ｓ３９の処理は、上述のステップＳ１２〜Ｓ１９の処理と同様の処理が実行される。その後、ステップＳ４１の処理に進む。
【００９４】
続いて、ステップＳ４１において、シャッター秒時データ作成制御部６は、光源輝度変更指示部７を介して光源２１による明るさがＥｖ値＝１６となるように設定する。その後、ステップＳ４２の処理に進む。以降、ステップＳ４２〜Ｓ４９の処理は、上述のステップＳ１２〜Ｓ１９の処理と同様の処理が実行される。その後、一連の処理を終了する。
【００９５】
以上説明したように上記第１の実施形態によれば、シャッター秒時データ調整設定装置１０において、所定のＥｖ値の明るさで狙いの露出特性を得られるシャッター秒時データ（シャッター動作開始タイミングを含む）を決定し、この決定したシャッター秒時データを圧縮した形態のデータ（秒時圧縮データ）としてカメラ本体２２の内部に設けたＥＥＰＲＯＭ等の記憶部３７に記憶させるようにしている。したがって、これにより短秒時から長秒時までの範囲内で狙いの露出特性を確実に得るためのシャッター秒時データを作成することができる。
【００９６】
次に、本発明の第２の実施形態のカメラのシャッター秒時データ調整設定装置について以下に説明する。
【００９７】
本実施形態は、上述の第１の実施形態と略同様の構成からなるものであり、そのシャッター秒時データ調整設定方法が若干異なるのみである。したがって、以下の説明においては、シャッター秒時データ調整設定装置の構成は、上述の第１の実施形態の説明を参照し、シャッター秒時データ調整設定方法の異なる部分のみを詳述する。
【００９８】
図１３及び図１４は、本発明の第２の実施形態のシャッター秒時データ調整設定方法を説明する図であって、本実施形態のシャッター秒時データ調整設定装置によって実行されるＥＥ調整処理のシーケンスのうちの一部であるシャッター秒時データ作成処理シーケンス（図５のステップＳ３参照）の詳細を示すフローチャートである。
【００９９】
図１３においてステップＳ８０は、カメラ本体（ボディ）２２の初期設定処理であり、この処理は、上述の第１の実施形態における図８のステップＳ１０の処理と全く同様である。
【０１００】
次に、図１３においてステップＳ８１〜ステップＳ８９の処理は、光源２１（図１参照）をＥｖ値＝１２に設定して台形領域のうちの高輝度側のシャッター秒時データを作成する場合の処理を示している。この処理は、上述の第１の実施形態における図８のステップＳ２１〜Ｓ２７と全く同様の処理であって、同図８のステップＳ１〜Ｓ１７と略同様の処理である。
【０１０１】
続いて、図１３に示すステップＳ９１〜Ｓ９３の処理は、光源２１（図１参照）をＥｖ値＝８に設定して台形領域のうちの高輝度側のシャッター秒時データを作成する場合の処理である。
【０１０２】
詳述すると、まずステップＳ９１において、シャッター秒時データ作成制御部６は、上述のステップＳ８１〜Ｓ８９の処理を経て作成されたＥｖ値＝１２の明るさで狙いの露出特性を得られるシャッター秒時データ（変数ＤＡＴ＿ＡＥＴＤＤＡＩ１）と、Ｅｖ値＝４の明るさでの狙いの露出特性を得られるシャッター秒時データ（変数ＡＥＴＤ＿ＥＶ４；固定値）とに基づいてＥｖ値＝８のシャッター秒時データ（ＤＡＴ＿ＡＥＴＤＤＡＩ２）を算出する。即ち、
ＤＡＴ＿ＡＥＴＤＤＡＩ２
＝ＡＥＴＤ＿ＥＶ４＋（ＤＡＴ＿ＡＥＴＤＤＡＩ１−ＡＥＴＤ＿ＥＶ４）／（ＤＡＴ＿ＥＶＤＡＩ１−＃２８Ｈ）＊（＃６８Ｈ−＃４８Ｈ）
ここで、変数ＤＡＴ＿ＥＶＤＡＩ１は、台形領域のうちの低輝度側のＥｖ値＝１２に対応する変数ＥＣ＿ＥＶＤＡＩ１が相当する（ステップＳ８７参照）。
【０１０３】
また、台形領域のうちの低輝度側のＥｖ値＝４に対応する値として＃２８Ｈが、台形領域のうちの低輝度側のＥｖ値＝８に対応する値として＃４８Ｈが、台形領域のうちの高輝度側のＥｖ値＝１２に対応する値として＃６８Ｈがそれぞれ設定される。
【０１０４】
なお、上述のＥｖ値＝４の明るさでの狙いの露出特性を得られるシャッター秒時データは、予め露出ズレデータ規格記憶部３（図３又は図４参照）に記憶されている固定値を読み出して用いる。この固定値は、未調整データであるが、Ｅｖ値＝４の環境下では、シャッター機構に起因するバラツキが少ない領域である長秒時におけるデータであることから、問題無く未調整の固定値であっても採用することができる。
【０１０５】
その後、ステップＳ９２の処理に進む。
【０１０６】
ステップＳ９２において、シャッター秒時データ作成制御部６は、上述のステップＳ９１で算出したＥｖ値＝８のシャッター秒時データ（ＤＡＴ＿ＡＥＴＤＤＡＩ２）を変数ＥＣ＿ＡＥＴＤＤＡＩ２として設定する。その後、ステップＳ９２の処理に進む。
【０１０７】
ステップＳ９３において、シャッター秒時データ作成制御部６は、台形領域のうちの低輝度側のＥｖ値＝８の変数ＥＣ＿ＥＶＤＡＩ２に対応する値である＃４８Ｈを設定する（図１２の表を参照）。その後、ステップＳ１０１の処理に進む。
【０１０８】
続いて、図１４のステップＳ１０１において、シャッター秒時データ作成制御部６は、光源輝度変更指示部７を介して光源２１による明るさがＥｖ値＝１３となるように設定する。その後、ステップＳ１０２の処理に進む。以降、ステップＳ１０２〜Ｓ１０９の処理は、上述の第１の実施形態における図９のステップＳ３２〜Ｓ３９の処理と全く同様の処理であって、同図８のステップＳ１２〜Ｓ１９の処理と略同様の処理である。その後、ステップＳ１１１の処理に進む。
【０１０９】
続いて、図１４のステップＳ１１１において、シャッター秒時データ作成制御部６は、光源輝度変更指示部７を介して光源２１による明るさがＥｖ値＝１６となるように設定する。その後、ステップＳ１１２の処理に進む。以降、ステップＳ１１２〜Ｓ１１９の処理は、上述の第１の実施形態における図９のステップＳ４２〜Ｓ４９の処理と全く同様の処理であって、同図８のステップＳ１２〜Ｓ１９の処理と略同様の処理である。その後、一連の処理を終了する。
【０１１０】
以上説明したように上記第２の実施形態によれば、上述の第１の実施形態と同様の効果を得ることができると共に、まず始めに、Ｅｖ値＝１２の明るさで狙いの露出特性を得られるシャッター秒時データを算出し、このＥｖ値＝１２のシャッター秒時データと予め規定される長秒時データであるＥｖ値＝４のシャッター秒時データ（固定値）とからＥｖ値＝８の明るさで狙いの露出特性を得られるシャッター秒時データを算出するようにしたので、調整にかかる時間を短縮することができ、作業効率の向上に寄与することができる。
【０１１１】
つまり、上述の第１の実施形態では、光源２１の光源輝度の変更を４回（Ｅｖ値＝８，１２，１３，１６）行うようにしているが、本実施形態の場合には、光源２１の光源輝度の変更を３回（Ｅｖ値＝１２，１３，１６）行うこととしている。
【図面の簡単な説明】
【０１１２】
【図１】本発明の第１の実施形態のカメラのシャッター秒時データ調整設定装置の概略構成を示すブロック構成図。
【図２】図１のシャッター秒時データ調整設定装置を用いて調整設定を施す被調整設定装置（カメラ）の電気的な内部構成の主要部を主に示すブロック構成図。
【図３】図１のシャッター秒時データ調整設定装置におけるＥＥ調整機制御部の内部構成の概略を示すブロック構成図。
【図４】図１に示すシャッター秒時データ調整設定装置におけるＥＥ調整機制御部の内部構成の詳細を示すブロック構成図。
【図５】図１のシャッター秒時データ調整設定装置によって実行されるＥＥ調整処理のシーケンスの概略を示すフローチャート。
【図６】図１のシャッター秒時データ調整設定装置により調整されるカメラにおけるレンズシャッターの動作を説明する図であって、シャッター羽根の開口と時間とによって決定される露出量を示す図。
【図７】図６の一部を拡大して示す図。
【図８】図５の処理シーケンスのうちの一部であるシャッター秒時データ作成処理シーケンス（図５のステップＳ３）の前半部の詳細を示すフローチャート。
【図９】図５の処理シーケンスのうちの一部であるシャッター秒時データ作成処理シーケンス（図５のステップＳ３）の後半部の詳細を示すフローチャート。
【図１０】図８の処理シーケンスのうちの一部であるＡＥＴＤ＿ＥＸＥ処理シーケンス（図８及び図９のステップＳ１５，Ｓ２５，Ｓ３５，Ｓ４５）の詳細を示すフローチャート。
【図１１】図１０の処理シーケンスのうちの一部である露出ずれ量ΔＥｖに応じたＤ＿ＡＥＴＤの増減処理シーケンス（図１０のステップＳ６１）の詳細を示すフローチャート。
【図１２】規定のＥｖ値（第２のＥｖ値）と秒時圧縮データとの関係の具体例を示す表。
【図１３】本発明の第２の実施形態のシャッター秒時データ調整設定方法を説明する図であって、本実施形態のシャッター秒時データ調整設定装置によって実行されるＥＥ調整処理のシーケンスのうちの一部であるシャッター秒時データ作成処理シーケンス（図５のステップＳ３参照）の前半部の詳細を示すフローチャート。
【図１４】本実施形態のシャッター秒時データ調整設定装置によって実行されるＥＥ調整処理のシーケンスのうちの一部であるシャッター秒時データ作成処理シーケンス（図５のステップＳ３参照）の後半部の詳細を示すフローチャート。
【符号の説明】
【０１１３】
１……露出ズレデータ入力部
２……露出ズレデータ判断部
３……露出ズレデータ規格記憶部
４……シャッター制御秒時演算部
５……シャッター制御秒時データ送信部
６……シャッター秒時データ作成制御部
７……光源輝度変更指示部
１０……ＥＥ調整機（シャッター秒時データ調整設定装置）
１１……露出ズレターゲット設定部
１２……判断回数カウント部
１３……判断回数判定部
１４……調整エラー情報出力部
１５……カメラ動作指示データ送信部
２１……光源
２２……カメラ本体
２３……受光部
２４……通信治具
２５……ＥＥ調整機制御部
２５ａ，２５ａａ，２５ｂ，２５ｃ……接続ケーブル
２６……モニタ
２７……キーボード 
３１……カメラ制御回路
３２……電源
３６……データ通信部
３７……記憶部（ＥＥＰＲＯＭ）
３８……ＡＥセンサ
３９……ＡＦセンサ
４４……ＤＸ接片
４５……ズーム給送モーター
４６……ＬＤモーター
４７……シャッタープランジャー
代理人弁理士伊藤進
【図１】
2005148162.tif 000003
【図２】
2005148162.tif 000004
【図３】
2005148162.tif 000005
【図４】
2005148162.tif 000006
【図５】
2005148162.tif 000007
【図６】
2005148162.tif 000008
【図７】
2005148162.tif 000009
【図８】
2005148162.tif 000010
【図９】
2005148162.tif 000011
【図１０】
2005148162.tif 000012
【図１１】
2005148162.tif 000013
【図１２】
2005148162.tif 000014
【図１３】
2005148162.tif 000015
【図１４】
2005148162.tif 000016